(57)【要約】【課題】読取性能や使用性等を向上し、低コスト化等を実現する。【解決手段】情報記憶手段１４と情報送信手段を有する固定部１と、情報読取手段３００を保持し情報読取手段３００と一体的に移動する移動部２と、移動部２の移動に基づき固定部１に対して直線状に突出又は収納移動する移動部２と一体的に構成されたガイド部３１と、を有する。位置信号出力手段は、ガイド部３１の固定部１に対する相対移動量を検出する手段により構成される。【選択図】図１
2008269081.tif 000002
【特許請求の範囲】
【請求項１】
媒体上を移動走査し該媒体上の情報を光学的に読み取る情報読取手段と、該情報読取手段の移動に基づく前記媒体上の走査位置を検知して位置信号を出力する位置信号出力手段と、前記情報読取手段と前記位置信号出力手段に基づいて得られた情報を記憶する情報記憶手段と、該情報記憶手段に記憶された情報をホスト情報処理装置に送信する情報送信手段と、前記情報記憶手段と前記情報送信手段を有する固定部と、前記情報読取手段を保持し該情報読取手段と一体的に移動する移動部と、前記移動部の移動に基づき前記固定部に対して直線状に突出又は収納移動する前記移動部と一体的に構成されたガイド部と、を有する情報読取装置であって、
前記位置信号出力手段は、前記移動部の移動に応じて移動する前記ガイド部の前記固定部に対する相対移動量を検出する手段により構成されることを特徴とする情報読取装置。
【請求項２】
前記ガイド部の前記固定部に対する相対移動量を検出する手段は、前記ガイド部に一体的に構成された認識パターンを有する帯状体と、前記ガイド部と共に移動する前記帯状体の認識パターンを検知するパターン検知手段と、該パターン検知手段に応じて前記情報読取手段の移動方向の位置信号を出力する手段とを有することを特徴とする請求項１に記載の情報読取装置。
【請求項３】
前記ガイド部の前記固定部に対する相対移動量を検出する手段は、前記ガイド部の移動に伴い回転する回転部材と、該回転部材の回転に応じて前記情報読取手段の移動方向の位置信号を出力する手段とを有することを特徴とする請求項１に記載の情報読取装置。
【請求項４】
前記固定部に対する前記ガイド部の移動を支持する支持手段が、前記固定部を前記媒体側へ押し付ける作用に伴い、前記移動部を前記媒体側へ付勢する手段を有することを特徴とする請求項１〜３のいずれか１項に記載の情報読取装置。
【請求項５】
前記ガイド部は中空部を有し、前記移動部に保持された前記情報読取手段からの信号配線が前記中空部を介して、前記固定部内に配され前記情報記憶手段を搭載した基板に接続されることを特徴とする請求項１〜４のいずれか１項に記載の情報読取装置。
【請求項６】
前記ガイド部の前記固定部からの突出移動を禁止する手段と、前記移動部を前記ガイド部から着脱可能とする手段と、前記ガイド部から離脱した前記移動部の移動に伴い、前記ガイド部の中空部を介して信号配線を前記固定部に対して突出又は収納移動可能とする手段と、前記ガイド部の突出移動に伴う前記信号配線の前記固定部に対する相対移動量を検出する手段と、該相対移動量を検出する手段の結果に基づき前記情報読取手段の前記媒体上の走査位置を検知して位置信号を出力する第２の位置信号出力手段と、前記信号配線を前記固定部内で巻き取る配線巻取手段とを有することを特徴とする請求項１に記載の情報読取装置。
【発明の詳細な説明】
【技術分野】
【０００１】
本発明は媒体上の文字又はバーコード等の印刷情報を光学的に読み取る情報読取装置、特にハンディスキャナ機能を備え、媒体上に装置を置いて手動操作により媒体上の情報を読み取る情報読取装置に関する。
【背景技術】
【０００２】
従来の一般的なハンディスキャナ機能を備えた情報読取装置は、装置そのものを手動で媒体上を移動させて媒体上の情報を読み取る装置が主流である。その装置を用いて媒体上の所望の情報を正しく読み取るためには、装置をその読取対象に対して直線的に移動走査させる操作が要求されるが、操作者にとって使い易いとは言いがたいものであった。
【０００３】
その問題を解決する従来技術として、特許文献１又は特許文献２にて提案されている。これは情報読取手段を固定部と情報読取手段を有する移動部に分離し、固定部から突出又は収納移動可能なガイド軸を移動部に一体的に構成するものである。固定部にてガイド軸の移動を支持することにより、読取走査時の移動部の移動を直線移動化することが可能となる。結果として、移動部に内蔵された情報読取手段を直線的に移動可能とする。
【０００４】
図７は上述した従来技術の装置を説明するための図であり、図７（Ａ）は読取開始前において、情報読取装置１００を媒体１５０上の読取対象２００に対し移動部１０２の走査方向を合わせて配置した状態を示している。また、図７（Ｂ）は移動部１０２を移動して、それに内蔵されている情報読取手段にて読取対象２００に対する読取りを終了した後の状態を示している。
【０００５】
即ち、図７（Ａ）の状態にて固定部１０１を操作者の左手で媒体１５０側に押し付けつつ固定保持し、右手で移動部１０２を矢印１０４方向にスライド移動させる。すると、図７（Ａ）の状態では固定部１０１内に収納され、移動部１０２と一体的に構成されたガイド軸１０３が、移動部１０２の移動に応じて固定部１０１から矢印１０４方向に突出移動する。そのガイド軸１０３が矢印１０４方向に直線的に移動するように、固定部１０１の開口部１０１ａ等にて支持することにより、移動部１０２に内蔵されている情報読取手段を、直線的に移動させることができる。
【０００６】
また、情報読取手段を媒体上で移動走査して媒体上の情報を読み取るこの種の装置は、移動する情報読取手段の読取対象に対する位置、又は読取対象を有する媒体に対する位置を検知し、その位置信号を出力する手段を必要とする。従来の技術においては、媒体と接して走査方向に回転するローラを有し、そのローラの回転に応じて媒体上の走査方向の位置を検知して位置信号を出力する手段を採用している。
【０００７】
図７に示した例においては、上述した位置信号を出力する手段を移動部１０２内に内蔵している。情報読取手段とその位置信号出力手段によって得られた情報を、固定部１０１内に配された情報記憶手段によって記憶させる。更に、その記憶された情報を送信する情報送信手段によって、ケーブル１１６を介してホスト情報処理装置に送信するようになっている。
【０００８】
上述した位置信号を出力する手段を含む本例の内部構成を、図７（Ｂ）のＸ−Ｘ断面図である図８を用いて説明する。同図は移動部１０２を固定部１０１に対して、図中、右方向にやや移動した状態を示している。図において、３００は光学光源と読取センサを内蔵した情報読取手段、１０５は媒体と接して走査方向に回転するローラを示す。また、１０７はローラ１０５の回転をエンコーダ板１０８に増速伝達するギア類である。１１０は回転するエンコーダ板１０８が有するスリット１０９を検知して、情報読取手段３００の媒体１５０に対する位置信号を出力する位置検出用のセンサである。
【０００９】
また、１１１は情報読取手段３００とセンサ１１０からの信号を伝達するための信号配線である。この信号配線１１１はガイド軸１０３の中空部１０３ａを介して、固定部１０１内の基板１１２上のコネクタ１１３に接続される。また、１１４は信号配線１１１を介して伝達された情報を記憶する記憶素子、１１５はケーブル１１６を接続するコネクタである。
【００１０】
また、１０６は媒体１５０に対して移動する移動部１０２を補助するために媒体１５０と接して回転する小さな補助ローラを示す。以上の内部構成において、移動部１０２の移動に伴って情報読取手段３００を移動させる。そして、媒体１５０と接して走査方向に回転するローラ１０５の回転をエンコーダ板１０８に増速伝達し、その回転を検出することによって媒体１５０に対する情報読取手段３００の位置信号を出力している。
【００１１】
【特許文献１】特開平５−１４５７００号公報
【特許文献２】特開平７−５８９２９号公報
【発明の開示】
【発明が解決しようとする課題】
【００１２】
ところが、図７及び図８を用いて説明した従来技術の装置においては、読取対象を有する媒体に対する位置を検知し、その位置信号を出力する手段を移動部１０２に設け、移動部１０２の移動走査と共に、その位置信号の出力手段が移動する構成となっている。そのため移動部１０２が内蔵する同手段の構成、即ちローラ１０５、エンコーダ板１０８等に対するスペースよって、移動部１０２は実際に情報を読み取る機能を有する情報読取手段３００よりも大きくなってしまっている。即ち、図７において寸法Ｌで示した情報読取手段３００の読取部と読取対象２００の端部との間の距離が遠くなる。このことから派生して、情報読取手段３００と読取対象２００との位置合わせ精度の劣化といった問題が発生している。
【００１３】
また、ローラ１０５は媒体１５０と接して正しく回転に対するために充分な摩擦力を得るために通常、その軸方向の長さを情報読取手段３００よりも長くする。そのため移動部１０２の幅寸法は、情報読取手段３００の読取幅よりも長くなってしまう。即ち、幅広の装置の狭い読取幅で位置合わせを行うため、位置合わせがやり難くなるという問題も有している。
【００１４】
また、ギア類１０７が移動部１０２に搭載されていることから、回転する各ギアの嵌合部から発生する振動が移動部１０２を保持する操作者の手の近傍で発生する。その振動が操作者の手に伝わり、移動部１０２のスムースな移動走査に影響を与えている。
更に、移動部１０２側から固定部１０１側の基板１１２に信号を伝達するための信号配線１１１の配線本数が多くなる。このため信号配線１１１及びそれを接続するためのコネクタ１１３の部品コストが高くなるという問題も有している。
【００１５】
本発明は以上説明した従来技術の装置が有する問題点を解決し、読取性能や使用性等を向上し、低コスト化等を実現する情報読取装置を提供することを目的とする。
【課題を解決するための手段】
【００１６】
上記目的を達成するために本発明は、媒体上を移動走査し該媒体上の情報を光学的に読み取る情報読取手段と、該情報読取手段の移動に基づく前記媒体上の走査位置を検知して位置信号を出力する位置信号出力手段と、前記情報読取手段と前記位置信号出力手段に基づいて得られた情報を記憶する情報記憶手段と、該情報記憶手段に記憶された情報をホスト情報処理装置に送信する情報送信手段と、前記情報記憶手段と前記情報送信手段を有する固定部と、前記情報読取手段を保持し該情報読取手段と一体的に移動する移動部と、前記移動部の移動に基づき前記固定部に対して直線状に突出又は収納移動する前記移動部と一体的に構成されたガイド部と、を有する情報読取装置であって、前記位置信号出力手段は、前記移動部の移動に応じて移動する前記ガイド部の前記固定部に対する相対移動量を検出する手段により構成されることを特徴とする情報読取装置を提供する。
【発明の効果】
【００１７】
本発明によれば、情報読取手段の移動に基づく媒体上の走査位置を検知して位置信号を出力する位置信号出力手段を固定部に設けている。これにより読取対象に対して位置合わせがし易く、且つその位置精度を向上させる小さな移動部を可能とする。
また、移動部がギア嵌合部からの振動を受けることがなくスムースに移動走査することができると共に、本数の少ない信号配線を実現して部品のコストを下げることが可能な情報読取装置を提供することができる。
更に、媒体と接して走査方向に回転するローラに正しい回転を与える摩擦を得るための移動部を、媒体方向に強く押し付けながらの走査を必要としないで済む。
また、ガイド部の移動範囲以上の読取対象に対しても読み取ることができる手段を有する装置を提供することもできる。
【発明を実施するための最良の形態】
【００１８】
以下、本発明の実施の形態を図面に基づいて詳細に説明する。
（第１の実施の形態）
図１は、本発明の第１の実施の形態に係る情報読取装置を説明するための図である。図１（Ａ）及び（Ｂ）において、１は固定部、２は情報読取手段３００を内蔵保持する移動部である。また、６は移動部２の直線移動を補助する補助ローラ、３１及び３２は移動部２と一体的に構成されたガイド軸（ガイド部）である。そのガイド軸３１の中空部３１ａを介して、情報読取手段３００からの信号配線１１を固定部内の基板１２上のコネクタ１３に接続している。
【００１９】
また、ガイド軸３１は固定部１の開口部１ａによって、その軸方向に直線状に突出又は収納移動し得るように移動可能に支持される。また、本実施の形態においてはガイド軸３１の左端部３１ｂの上部を固定部１の筐体内側面でも支持し、その直線移動の補助を行っている。
【００２０】
１７はガイド軸３１に一体的に構成され、後述するパターン検知手段により検知可能な認識パターンを有する帯状体、１８は図１（Ｂ）に示すように固定部１内の基板１２に配され、帯状体１７の認識パターンを検知するパターン検知手段であるセンサである。これらは本発明の特徴の一つである。即ち、情報読取手段３００と一体的に移動する移動部２の移動に応じて移動するガイド軸３１の固定部１に対する相対移動量を検出する手段に基づく位置信号出力手段に関連する部品である。
【００２１】
つまり本実施の形態において認識パターンを有する帯状体１７は、情報読取手段３００を有する移動部２と共に軸方向に直線的に移動するガイド軸３１の移動に同期して移動する。よって、その認識パターンをセンサ１８で検知することで、移動するガイド軸３１、ひいては移動部２に保持された情報読取手段３００の固定部１に対する相対移動量を検出することができる。
【００２２】
以上説明した本実施の形態では、移動部２に内蔵されていた媒体１５０と接して回転するローラ１０５、エンコーダ板１０８及びセンサ１１０等（図８参照）を移動部２から排することができる。よって、移動部２のサイズは図８で示した従来技術の移動部１０２よりも小さくすることができる。そのため情報読取手段３００と読取対象との距離が小さくなることにより、読取対象に対する情報読取手段３００の位置合わせ精度が向上する。また、情報読取手段３００の読取幅方向が小さくなることにより、読取対象に対する位置調整がやり易くなる。
【００２３】
また、媒体１５０と接して回転するローラを排したことにより、操作者に依存した操作を排することができる。即ち、媒体１５０と接して走査方向に回転する情報読取手段３００の走査方向の位置信号出力の起点となるために、該ローラに正しい回転を与える摩擦力を得る必要がある。かかる摩擦力を得るために、移動部２を媒体１５０方向に強く押し付けながら走査しなければならない。媒体１５０と接するローラを排したことで、もはやそのような操作者に依存する操作が必要なくなる。
【００２４】
更に、移動部２からギア類を排したことにより、ギアの嵌合部から発生する振動を排することができる。即ち、移動部１０２のスムースな移動走査を損なう原因となるギアの嵌合部から発生する振動が、移動部１０２を保持する操作者の手に伝わらなくする。そして、位置信号出力手段を移動部２から固定部１側に移管したことにより、信号配線１１の移動部２から固定部１への信号は、情報読取手段３００からの情報だけとなる。よって、信号配線１１の本数が少なくなるので、信号配線１１及びそれを接続するコネクタ１３の部品コストを下げることが可能となる。
【００２５】
なお上記の場合、上述した手段で得られた位置信号と、その各位置に対応した読取情報は、基板１２に搭載された記憶素子１４（情報記憶手段）に記憶される。更にその記憶された情報を送信する情報送信手段によって、ケーブル１１６を介してホスト情報処理装置に送信される。図１においては、移動部２を移動して読取走査を行うと、認識パターンを有する帯状体１７が外観に露出する構成となっている。この場合、帯状体１７をサンドイッチ状に両側から挟み込むようなガイドリブをガイド軸３１に設けてもよい。
【００２６】
更に、そのガイドリブ下部に簾状部品を設け、固定部１側でその簾状部品を巻き取る機構を設けることができる。これにより移動部２の移動に伴う帯状体１７の下側から露出を避ける等の方法により、その問題を解決できる。
【００２７】
（第２の実施の形態）
図２は、本発明の第２の実施の形態に係る情報読取装置を説明するための図である。同図を用いて、ガイド軸３１と接して回転する回転部材の回転に応じて、ガイド軸３１の固定部１に対する相対移動量を検出し、情報読取手段３００（図示せず）の移動方向の位置信号を出力する手段を有する実施の形態について説明する。
【００２８】
図２において、３３はガイド軸３１の外周面に接する回転部材であり、固定部１に支持されている。３４は回転部材３３の回転をエンコーダ板３５に増速伝達するギア類、３６はエンコーダ板３５に設けられたスリット、３７は回転するエンコーダ板３５のスリット３６を検知するセンサを示す。
【００２９】
なお、回転部材３３として例えば、ガイド軸３１の外周面において長手方向に配置されたラックを有し、これに噛合するピニオンであってもよい。あるいは回転部材３３としての円板部材が、ガイド軸３１の外周面に滑りなく接触するように構成したものであってもよい。
【００３０】
上記構成によって、移動部２の移動に伴うガイド軸３１の移動を、その移動に伴って回転する回転部材３３の回転運動に変換し、エンコードすることができる。そして、ガイド軸３１の固定部１との相対移動量を検出することができる。即ち、この実施の形態においても、前述した第１の実施の形態と同様の効果を得ることができる。
【００３１】
（第３の実施の形態）
第１及び第２の実施の形態にて説明したように、情報読取手段３００の走査方向の位置信号出力の起点となる媒体１５０と接して回転するローラを移動部２から排する。これによりローラを正しく回転させるために、移動部２を媒体１５０側へ強く押し付ける操作が不要となる。
【００３２】
一方、第１及び第２の実施の形態では、情報読取手段３００と媒体１５０との距離を、情報読取手段３００が有する読取焦点距離に一致させる。このことを目的として移動部２を媒体１５０に密着させながら走査する操作は、例えガイド軸３１及び３２があっても必要としている。即ち、例えば左手で固定部１を媒体１５０に密着固定し、更に右手で移動部２を密着させながらスライド移動する。このような媒体１５０への密着操作が操作者の両手に要求されている。
【００３３】
本発明の第３の実施の形態に係る情報読取装置は、移動部２が媒体１５０と密着可能とする装置として構成される。即ち、左手で固定部を媒体１５０に押し付けて密着させれば右手は移動部を横にスライド移動する操作のみで済む装置を実現する。以下、図３を用いて説明する。なお図３において、位置信号出力手段等の本実施の形態の主旨に直接関係ない構成については図示を省いている。
【００３４】
図３（Ａ）は、同装置を媒体１５０上に配置した直後の状態の断面図を示す。同図において、本実施の形態における固定部３８によるガイド軸４０に対する支持手段と、第１の実施の形態における固定部１によるガイド軸３１に対する支持構成とは、次の点で相違する。即ち、固定部３８の開口部３８ａにはガイド軸４０の上下方向に一定の隙間を設け、ガイド軸４０が固定部３８に対して、その隙間分だけ上下方向に可動である点である。
【００３５】
また、固定部３８の開口部３８ａの近傍には、上下方向に圧縮可能な弾性部材４１が設けられる。この弾性部材４１は、ガイド軸４０上面と固定部３８の筐体内面に当接し、固定部３８を持ち上げるように作用する。これにより固定部３８は、左端下部４０ｂを支点とし右端下部４０ｃを媒体１５０から寸法４２分だけ浮き上がらせ、媒体１５０に対して図中、右肩上がりに傾いていることである。
【００３６】
また、固定部３８の右肩上がりの傾きに伴い、開口部３８ａの下端部３８ａ1のガイド軸４０下面に対する持上げ作用により、ガイド軸４０及びそれと一体的に構成された移動部２が媒体１５０と接する補助ローラ６を支点として左肩上がりに傾いている。なお第１の実施の形態においては、ガイド軸４０の左端部４０ａは、固定部３８の筐体内面で支持されていない。
【００３７】
以上、図３（Ａ）を用いて説明した媒体１５０上に配置した状態の装置に対し、読取りを開始するために固定部３８を矢印３９方向に押し付け、固定部３８を右肩上がりの状態から媒体１５０に密着させた状態に移行した図を図３（Ｂ）に示す。同図において、ガイド軸４０下面を支えていた開口部３８ａの下端部３８ａ1の下降により、ガイド軸４０は左肩上がりの状態から水平状態へ移行する。また、押付操作により付勢された弾性部材４１の作用によって媒体１５０方向へ押し付けられ、更には開口部３８の上端部３８ａ2のガイド軸４０の上面への当接により、同様にガイド軸４０を媒体１５０側に押し付けて支えている。
【００３８】
なお図３（Ｂ）に示したガイド軸４０はほぼ水平状態となっているが、上記した弾性部材４１と開口部３８の上端部３８ａ2による媒体１５０側への押付け作用により、移動部２を媒体側へ押し付けた状態となっている。これにより補助ローラ６を支点としたやや左肩下がりになる傾向となる。
【００３９】
上述のように固定部３８に対する媒体１５０方向への押付操作により、ガイド軸４０、そしてそれと一体的に構成された移動部２を媒体１５０表面に押し付ける作用が働いている。よって、移動部２の移動走査時に、それを媒体１５０に密着させるための押付操作を必要とせず、単に移動部２を水平方向に移動する操作のみで、移動部２の媒体１５０との密着を維持した走査が可能となる。
【００４０】
（第４の実施の形態）
図４乃至図６は、本発明の第４の実施の形態に係わる情報読取装置を説明するための図である。同実施の形態においては、媒体１５０上の読取対象２０１が装置の移動部４４のガイド軸の移動範囲よりも長い場合にも読取可能な手段、具体的には固定部４３から移動部４４を分離して読み取る手段を有する。つまり、移動部４４をガイド軸から着脱可能とし、ガイド軸から離脱した移動部４４の移動に伴い、ガイド軸の中空部を介して信号配線を固定部４３に対して突出又は収納移動可能とするものである。
【００４１】
図４は、本装置が読取対象２０１に対して移動部４４とそれと一体的に構成されたガイド軸４７及び４８の移動方向に沿って配置されており、操作者がガイド軸４７及び４８の長さよりも読取対象２０１の長さが長いことを把握した状態を示す。図５（Ａ）は、図４で示した装置の移動部４４近傍を拡大し、且つ本実施の形態に関する部分の内部構成を示す図である。図５（Ｂ）は、その図におけるガイド軸４７の軸中心の面を切断面とした固定部４３と移動部４４の合せ面近傍部の断面図を示す。
【００４２】
それらの図において、先ずロック釦４６ａ及び４６ｂを下降させて、それらをガイド軸４７及び４８と嵌合させ、ガイド軸４７及び４８を固定部１側で保持する構成について説明する。
ロック釦４６ａ及び４６ｂは、それらの下部に突起４６ａ1及び４６ｂ1を有すると共に各々ガイド軸４７及び４８の上部に配置され、操作者の操作により下降可能に構成されている。ガイド軸４７及び４８は、それらの上面に配置される突起４６ａ1及び４６ｂ1の下方に穴４７ａ及び４８ａを有し、ロック釦４６ａ及び４６ｂが下降操作されると、それらの穴に突起４６ａ1及び４６ｂ1が嵌合する構成となっている。
【００４３】
次に、解除釦４５ａ及び４５ｂを操作し、移動部４４をガイド軸４７及び４８から分離する作用に関する構成について説明する。
解除釦４５ａ及び４５ｂは、移動部４４内において各々弾性部材５３ａ及び５３ｂに連結されている。弾性部材５３ａ及び５３ｂはリング形状部を有する。そのリング形状部を
ガイド軸４７及び４８に設けられた溝４７ｂ及び４８b（図６）に嵌合してそれらを的確に保持し、ガイド軸４７及び４８を移動部４４と一体的な構成としている。また、そのリング形状部は、解除釦４５ａ及び４５ｂを左右から押し付ける操作により内径が拡大する構成となっている。
【００４４】
続いて、移動部４４に内蔵された情報読取手段３００の移動走査位置信号を出力する手段について説明する。
本実施の形態の装置は、移動部４４が移動部４４とガイド軸４７及び４８が一体的に移動して読取りを行った場合に、情報読取手段３００の位置信号を出力する手段としての認識パターンを有する帯状体１７及びそのパターンを検知するセンサ１８を有する。
【００４５】
また、後述するように移動部４４が分離移動した場合の第２の位置信号出力手段を有している。その第２の位置信号出力手段は、情報読取手段３００からの信号配線４９を基板５１に接続する前に、その信号配線４９を巻き取る配線巻取手段５２を有している。配線巻取手段５２は具体的にはゼンマイ式機構を有し、ガイド軸４７及び４８よりも充分に長い長さを巻き取っている。そして、ある所定の巻取負荷を絶えず信号配線４９にかける構成となっている。
【００４６】
また、信号配線４９を情報読取手段３００近傍の移動部４４内の保持部４４ａ部にて保持し、信号配線４９は保持部４４ａから配線巻取手段５２間、プーリー５４を介して撓みなくＵ字状を形成している。また、信号配線４９は少なくともセンサ５０近傍の位置から巻き取られている部分の範囲に認識パターン４９ａを有する。後述する移動部４４の移動に伴う信号配線４９の移動時に、センサ５０によって認識パターン４９ａの読取りが可能な構成となっている。
【００４７】
上述した構成において、ガイド軸４７及び４８よりも長い読取対象２０１に対する読取り操作方法を以下に説明する。
操作者は先ずロック釦４６ａ及び４６ｂを下降させ、それらの下部の突起４６ａ1及び４６ｂ1を穴４７ａ及び４８ａに挿入し、ガイド軸４７及び４８の突出移動を禁止する。その後、解除釦４５ａ及び４５ｂを互いの方向に押し付け合って、それらに連結された弾性部材５３ａ及び５３ｂのリング形状部の内径を拡大して、ガイド軸４７及び４８への保持を解除する。
【００４８】
そして、片手で固定部４３を媒体１５０上に保持しながら、解除釦４５ａ及び４５ｂを押し付け合った状態のまま移動部４４を固定部４３から離れる方向へ移動する。すると、移動部４４はガイド軸４７及び４８から離れ、移動部４４は独自の移動が可能になる。
【００４９】
図５（Ａ）及び（Ｂ）の状態から移動部４４が僅かに単独移動をしている状態を、各々図６（Ａ）及び（Ｂ）に示す。それらの図において、操作者は固定部４３を一方の手で媒体１５０上に固定保持し、他方の手で移動部４４をスライドして情報読取手段３００による読取りを行う。この際、移動部４４の保持部４４ａで保持されている信号配線４９は、移動部４４の移動によって撓みなく引っ張られ、配線巻取手段５２から解放されていく。
【００５０】
その信号配線４９の解放移動距離をセンサ５０による認識パターン４９ａの検知で検出し、それを信号配線４９と同期的に移動している移動部４４内の情報読取手段３００の位置信号として出力する。なお、読取りが終了すると信号配線４９は配線巻取手段５２による所定の巻取負荷によって巻戻し作用が働くので、操作者が移動部４４に対する保持を緩めると、その巻戻し作用により移動部４４が固定部４３側へ逆戻りする。
【００５１】
最後に再び解除釦４５ａ及び４５ｂを押して弾性部材５３ａの内径を大きくすれば、再びそれをガイド軸４７及び４８の溝４７ｂ及び４８ｂに嵌合させることができる。更にはロック釦４６ａ及び４６ｂを上昇させることによって、初期状態へ復帰する。
【００５２】
なお、以上説明した第４の実施の形態においては、信号配線４９上に認識パターン４９ａを設けた構成としたが、信号配線４９とは別に認識パターンを有する帯状体を設け、それも信号配線と同様に巻き取る手段を設ける構成も可能である。
【図面の簡単な説明】
【００５３】
【図１】本発明の第１の実施の形態に係わる情報読取装置を説明するそれぞれ断面図である。
【図２】本発明の第２の実施の形態に係わる情報読取装置を説明する斜視部分透視図である。
【図３】本発明の第３の実施の形態に係わる情報読取装置を説明するそれぞれ断面図である。
【図４】本発明の第４の実施の形態に係わる情報読取装置を説明する斜視図である。
【図５】本発明の第４の実施の形態に係わる情報読取装置を説明する斜視部分透視図及びその断面図である。
【図６】本発明の第４の実施の形態に係わる情報読取装置の移動部を移動した状態を説明する斜視部分透視図及びその断面図である。
【図７】従来技術を説明するそれぞれ斜視図である。
【図８】従来技術を説明する断面図である。
【符号の説明】
【００５４】
１，３８，４３  固定部
２，４４  移動部
１１，４９  信号配線
１４  記憶素子
１７  帯状体
１８，３７，５０  センサ
３１，３２，４０，４７，４８  ガイド軸
３３  回転部材
３５  エンコーダ板
４１  弾性部材
４５ａ，４５ｂ  解除釦
４６ａ，４６ｂ  ロック釦
５２  配線巻取手段
５３ａ，５３ｂ  弾性部材
５４  プーリー
１１６  ケーブル
１５０  媒体
２００，２０１  読取対象
３００  情報読取手段
【図１】
2008269081.tif 000003
【図２】
2008269081.tif 000004
【図３】
2008269081.tif 000005
【図４】
2008269081.tif 000006
【図５】
2008269081.tif 000007
【図６】
2008269081.tif 000008
【図７】
2008269081.tif 000009
【図８】
2008269081.tif 000010